(57)【要約】  本願の実施例は、ＤＲＸ指示信号の送信をＤＲＸ構成信号により整合させることができ、通信性能を向上させることができる無線通信方法及びデバイスを提供する。当該方法は、ネットワークデバイスが非連続伝送ＤＲＸ構成情報に基づいて、ＤＲＸ指示信号のタイプを確定することと、確定されたＤＲＸ指示信号のタイプに基づいて、ネットワークデバイスが端末デバイスにＤＲＸ指示信号を送信することとを含み、ここで、ＤＲＸ指示信号は、端末デバイスがＤＲＸ周期の活性化期間においてウェイクアップするように指示する。
2020535675.tif 000002
【特許請求の範囲】
【請求項１】
ネットワークデバイスが非連続伝送ＤＲＸ構成情報に基づいて、ＤＲＸ指示信号のタイプを確定することと、
確定された前記ＤＲＸ指示信号のタイプに基づいて、前記ネットワークデバイスが端末デバイスに前記ＤＲＸ指示信号を送信することとを含み、
前記ＤＲＸ指示信号は、前記端末デバイスがＤＲＸ周期の活性化期間においてウェイクアップするように指示する
ことを特徴とする通信方法。
【請求項２】
異なるＤＲＸ指示信号のタイプに含まれるシーケンスタイプ、シーケンス数及びシーケンス長さのうちの少なくとも１つが異なる
ことを特徴とする請求項１に記載の通信方法。
【請求項３】
異なるタイプのＤＲＸ指示信号により提供される同期能力が異なる
ことを特徴とする請求項１又は２に記載の通信方法。
【請求項４】
前記確定されたＤＲＸ指示信号のタイプが第１のタイプ又は第２のタイプであり、
前記第１のタイプのＤＲＸ指示信号は、同期能力を提供し、
前記第２のタイプのＤＲＸ指示信号は、同期能力を提供しない
ことを特徴とする請求項１〜３のいずれか１項に記載の通信方法。
【請求項５】
前記ＤＲＸ構成情報が前記ＤＲＸ周期の周期時間長を含む
ことを特徴とする請求項１〜４のいずれか１項に記載の通信方法。
【請求項６】
前記ネットワークデバイスがＤＲＸ構成情報に基づいて、ＤＲＸ指示信号のタイプを確定することは、
前記ＤＲＸ周期の周期時間長が第１の時間長より大きい場合、前記ＤＲＸ指示信号のタイプを同期能力が提供される第１のタイプとして確定すること、又は、
前記ＤＲＸ周期の周期時間長が第１の時間長の以下である場合、前記ＤＲＸ指示信号のタイプを同期能力が提供されない第２のタイプとして確定することを含む
ことを特徴とする請求項５に記載の通信方法。
【請求項７】
前記第１の時間長は、前記ネットワークデバイスに予め設定された時間長である
ことを特徴とする請求項６に記載の通信方法。
【請求項８】
前記ネットワークデバイスがＤＲＸ構成情報に基づいて、ＤＲＸ指示信号のタイプを確定することは、
前記ネットワークデバイスがＤＲＸ構成情報に基づいて、前記端末デバイスの能力情報を参照して、前記ＤＲＸ指示信号のタイプを確定することを含む
ことを特徴とする請求項１〜４のいずれか１項に記載の通信方法。
【請求項９】
前記端末デバイスの能力情報は、前記端末デバイスが時間周波数同期を維持する時間長、及び／又は、
前記ＤＲＸ構成情報が前記ＤＲＸ周期の周期時間長を含む
ことを特徴とする請求項８に記載の通信方法。
【請求項１０】
前記ネットワークデバイスがＤＲＸ構成情報に基づいて、前記端末デバイスの能力情報を参照して、前記ＤＲＸ指示信号のタイプを確定することは、
前記端末デバイスが時間周波数同期を維持する時間長に基づいて、第２の時間長を確定することと、
前記ＤＲＸ周期の周期時間長が前記第２の時間長より大きい場合、前記ＤＲＸ指示信号のタイプを同期能力が提供される第１のタイプとして確定し、又は、前記ＤＲＸ周期の周期時間長が前記第２の時間長の以下である場合、前記ＤＲＸ指示信号のタイプを同期能力が提供されない第２のタイプとして確定することとを含む
ことを特徴とする請求項９に記載の通信方法。
【請求項１１】
前記方法は、さらに、
前記ネットワークデバイスが前記端末デバイスに前記第２の時間長を通知することを含む
ことを特徴とする請求項１０に記載の通信方法。
【請求項１２】
前記ネットワークデバイスがＤＲＸ構成情報に基づいて、前記端末デバイスの能力情報を参照して、ＤＲＸ指示信号のタイプを確定することは、
前記ＤＲＸ周期の周期時間長が前記端末デバイスが時間周波数同期を維持する時間長より大きい場合、前記ＤＲＸ指示信号のタイプを同期能力が提供される第１のタイプとして確定し、又は、
前記ＤＲＸ周期の周期時間長が前記端末デバイスが時間周波数同期を維持する時間長の以下である場合、前記ＤＲＸ指示信号のタイプを能力が提供されない第２のタイプとして確定することを含む
ことを特徴とする請求項９に記載の通信方法。
【請求項１３】
前記方法は、さらに、
前記ネットワークデバイスが前記端末デバイスにより送信された指示情報を受信することを含み、前記指示情報は、前記端末デバイスの能力情報を示す
ことを特徴とする請求項８〜１２のいずれか１項に記載の通信方法。
【請求項１４】
前記ネットワークデバイスが前記端末デバイスに前記ＤＲＸ指示信号を送信することは、
前記活性化期間の前に、又は、前記活性化期間における１番目のサブフレーム又は１番目のタイムスロットにおいて、前記端末デバイスに前記ＤＲＸ指示信号を送信することを含む
ことを特徴とする請求項１〜１３のいずれか１項に記載の通信方法。
【請求項１５】
端末デバイスがＤＲＸ構成情報に基づいて、ＤＲＸ指示信号のタイプを確定することと、前記ＤＲＸ指示信号のタイプに基づいて、前記端末デバイスがネットワークデバイスにより送信された前記ＤＲＸ指示信号を検出することと、
前記ＤＲＸ指示信号に応答し、前記端末デバイスがＤＲＸ周期の活性化期間においてウェイクアップすることとを含み、
前記ＤＲＸ指示信号は、前記端末デバイスがＤＲＸ周期の活性化期間においてウェイクアップするように指示する
ことを特徴とする通信方法。
【請求項１６】
異なるＤＲＸ指示信号のタイプに含まれるシーケンスタイプ、シーケンス数及びシーケンス長さのうちの少なくとも１つが異なる
ことを特徴とする請求項１５に記載の通信方法。
【請求項１７】
異なるタイプのＤＲＸ指示信号により提供される同期能力が異なる
ことを特徴とする請求項１５又は１６に記載の通信方法。
【請求項１８】
前記確定されたＤＲＸ指示信号のタイプが第１のタイプ又は第２のタイプであり、
前記第１のタイプのＤＲＸ指示信号は、同期能力を提供し、
前記第２のタイプのＤＲＸ指示信号は、同期能力を提供しない
ことを特徴とする請求項１５〜１７のいずれか１項に記載の通信方法。
【請求項１９】
前記確定されたＤＲＸ指示信号のタイプが第１のタイプである場合、
前記方法は、さらに、
前記端末デバイスが前記ＤＲＸ指示信号の検出過程において、検出されたＤＲＸ指示信号に基づいて、同期手順を実行することを含む
ことを特徴とする請求項１８に記載の通信方法。
【請求項２０】
前記ＤＲＸ指示信号のタイプに基づいて、前記端末デバイスがネットワークデバイスにより送信された前記ＤＲＸ指示信号を検出することは、
前記ＤＲＸ指示信号のタイプに対応するシーケンス長さ及び／又は数に基づいて、前記端末デバイスがネットワークデバイスにより送信された前記ＤＲＸ指示信号を検出することを含む
ことを特徴とする請求項１５〜１９のいずれか１項に記載の通信方法。
【請求項２１】
前記ＤＲＸ構成情報が前記ＤＲＸ周期の周期時間長を含む
ことを特徴とする請求項１５〜２０のいずれか１項に記載の通信方法。
【請求項２２】
前記端末デバイスがＤＲＸ構成情報に基づいて、ＤＲＸ指示信号のタイプを確定することは、
前記ＤＲＸ周期の周期時間長が第１の時間長より大きい場合、前記ＤＲＸ指示信号のタイプを同期能力が提供される第１のタイプとして確定すること、又は、
前記ＤＲＸ周期の周期時間長が第１の時間長の以下である場合、前記ＤＲＸ指示信号のタイプを同期能力が提供されない第２のタイプとして確定することを含む
ことを特徴とする請求項２１に記載の通信方法。
【請求項２３】
前記第１の時間長は、前記端末デバイスに予め設定された時間長である
ことを特徴とする請求項２２に記載の通信方法。
【請求項２４】
前記端末デバイスがＤＲＸ構成情報に基づいて、ＤＲＸ指示信号のタイプを確定することは、
前記ＤＲＸ周期の周期時間長が前記ネットワークデバイスにより通知された第２の時間長より大きい場合、前記ＤＲＸ指示信号のタイプを同期能力が提供される第１のタイプとして確定し、又は、
前記ＤＲＸ周期の周期時間長が前記ネットワークデバイスにより通知される第２の時間長の以下である場合、前記ＤＲＸ指示信号のタイプを同期能力が提供されない第２のタイプとして確定することを含み、
ここで、前記第２の時間長は、前記ネットワークデバイスが前記端末デバイスの能力情報に基づいて確定したものである
ことを特徴とする請求項２１に記載の通信方法。
【請求項２５】
前記端末デバイスがＤＲＸ構成情報に基づいて、ＤＲＸ指示信号のタイプを確定することは、
前記端末デバイスがＤＲＸ構成情報に基づいて、前記端末デバイスの能力情報を参照して、前記ＤＲＸ指示信号のタイプを確定することを含む
ことを特徴とする請求項１５〜２０のいずれか１項に記載の通信方法。
【請求項２６】
前記端末デバイスの能力情報は、前記端末デバイスが時間周波数同期を維持する時間長、及び／又は、
前記ＤＲＸ構成情報が前記ＤＲＸ周期の周期時間長を含む
ことを特徴とする請求項２５に記載の通信方法。
【請求項２７】
前記端末デバイスがＤＲＸ構成情報に基づいて、前記端末デバイスの能力情報を参照して、前記ＤＲＸ指示信号のタイプを確定することは、
前記端末デバイスが時間周波数同期を維持する時間長に基づいて第２の時間長を確定することと、
前記ＤＲＸ周期の周期時間長が前記第２の時間長より大きい場合、前記ＤＲＸ指示信号のタイプを同期能力が提供される第１のタイプとして確定し、又は、
前記ＤＲＸ周期の周期時間長が前記第２の時間長の以下である場合、前記ＤＲＸ指示信号のタイプを同期能力が提供されない第２のタイプとして確定することとを含む
ことを特徴とする請求項２６に記載の通信方法。
【請求項２８】
前記端末デバイスがＤＲＸ構成情報に基づいて、前記端末デバイスの能力情報を参照して、ＤＲＸ指示信号のタイプを確定することは、
前記ＤＲＸ周期の周期時間長が前記端末デバイスが時間周波数同期を維持する時間長より大きい場合、前記ＤＲＸ指示信号のタイプを同期能力が提供される第１のタイプとして確定し、又は、
前記ＤＲＸ周期の周期時間長が前記端末デバイスが時間周波数同期を維持する時間長の以下である場合、前記ＤＲＸ指示信号のタイプを能力が提供されない第２のタイプとして確定することを含む
ことを特徴とする請求項２６に記載の通信方法。
【請求項２９】
前記方法は、さらに、
前記端末デバイスが前記ネットワークデバイスに指示情報を送信することを含み、前記指示情報は、前記端末デバイスの能力情報を示す
ことを特徴とする請求項２４〜２８のいずれか１項に記載の通信方法。
【請求項３０】
前記端末デバイスがネットワークデバイスにより送信された前記ＤＲＸ指示信号を検出することは、
前記活性化期間の前に、又は、前記活性化期間における１番目のサブフレーム又は１番目のタイムスロットにおいて、前記端末デバイスがネットワークデバイスにより送信された前記ＤＲＸ指示信号を検出することを含む
ことを特徴とする請求項１５〜２９のいずれか１項に記載の通信方法。
【請求項３１】
処理ユニットと通信ユニットとを備えるネットワークデバイスであって、
前記処理ユニットは、非連続伝送ＤＲＸ構成情報に基づいて、ＤＲＸ指示信号のタイプを確定するように構成され、
前記ＤＲＸ指示信号は、前記端末デバイスがＤＲＸ周期の活性化期間においてウェイクアップするように指示し、
前記通信ユニットは、前記処理ユニットにより確定された前記ＤＲＸ指示信号のタイプに基づいて、前記端末デバイスに前記ＤＲＸ指示信号を送信するように構成される
ことを特徴とするネットワークデバイス。
【請求項３２】
異なるＤＲＸ指示信号のタイプに含まれるシーケンスタイプ、シーケンス数及びシーケンス長さのうちの少なくとも１つが異なる
ことを特徴とする請求項３１に記載のネットワークデバイス。
【請求項３３】
異なるタイプのＤＲＸ指示信号により提供される同期能力が異なる
ことを特徴とする請求項３１又は３２に記載のネットワークデバイス。
【請求項３４】
前記確定されたＤＲＸ指示信号のタイプが第１のタイプ又は第２のタイプであり、
前記第１のタイプのＤＲＸ指示信号は、同期能力を提供し、
前記第２のタイプのＤＲＸ指示信号は、同期能力を提供しない
ことを特徴とする請求項３１〜３３のいずれか１項に記載のネットワークデバイス。
【請求項３５】
前記ＤＲＸ構成情報が前記ＤＲＸ周期の周期時間長を含む
ことを特徴とする請求項３１〜３４のいずれか１項に記載のネットワークデバイス。
【請求項３６】
前記処理ユニットは、さらに、
前記ＤＲＸ周期の周期時間長が第１の時間長より大きい場合、前記ＤＲＸ指示信号のタイプを同期能力が提供される第１のタイプとして確定し、又は、
前記ＤＲＸ周期の周期時間長が第１の時間長の以下である場合、前記ＤＲＸ指示信号のタイプを同期能力が提供されない第２のタイプとして確定するように構成される
ことを特徴とする請求項３５に記載のネットワークデバイス。
【請求項３７】
前記第１の時間長は、前記ネットワークデバイスに予め設定された時間長である
ことを特徴とする請求項３６に記載のネットワークデバイス。
【請求項３８】
前記処理ユニットは、さらに、
ＤＲＸ構成情報に基づいて、前記端末デバイスの能力情報を参照して、前記ＤＲＸ指示信号のタイプを確定するように構成される
ことを特徴とする請求項３１〜３４のいずれか１項に記載のネットワークデバイス。
【請求項３９】
前記端末デバイスの能力情報は、前記端末デバイスが時間周波数同期を維持する時間長、及び／又は、
前記ＤＲＸ構成情報が前記ＤＲＸ周期の周期時間長を含む
ことを特徴とする請求項３８に記載のネットワークデバイス。
【請求項４０】
前記処理ユニットは、さらに、
前記端末デバイスが時間周波数同期を維持する時間長に基づいて、第２の時間長を確定し、
前記ＤＲＸ周期の周期時間長が前記第２の時間長より大きい場合、前記ＤＲＸ指示信号のタイプを同期能力が提供される第１のタイプとして確定し、又は、
前記ＤＲＸ周期の周期時間長が前記第２の時間長の以下である場合、前記ＤＲＸ指示信号のタイプを同期能力が提供されない第２のタイプとして確定するように構成される
ことを特徴とする請求項３９に記載のネットワークデバイス。
【請求項４１】
前記通信ユニットは、さらに、 
前記端末デバイスに前記第２の時間長を通知するように構成される
ことを特徴とする請求項４０に記載のネットワークデバイス。
【請求項４２】
前記処理ユニットは、さらに、
前記ＤＲＸ周期の周期時間長が前記端末デバイスが時間周波数同期を維持する時間長より大きい場合、前記ＤＲＸ指示信号のタイプを同期能力が提供される第１のタイプとして確定し、又は、
前記ＤＲＸ周期の周期時間長が前記端末デバイスが時間周波数同期を維持する時間長の以下である場合、前記ＤＲＸ指示信号のタイプを能力が提供されない第２のタイプとして確定するように構成される
ことを特徴とする請求項３９に記載のネットワークデバイス。
【請求項４３】
前記通信ユニットは、さらに、
前記端末デバイスにより送信された指示情報を受信するように構成され、前記指示情報は、前記端末デバイスの能力情報を示す
ことを特徴とする請求項３８〜４２のいずれか１項に記載のネットワークデバイス。
【請求項４４】
前記通信ユニットは、さらに、
前記活性化期間の前に、又は、前記活性化期間における１番目のサブフレーム又は１番目のタイムスロットにおいて、前記端末デバイスに前記ＤＲＸ指示信号を送信するように構成される
ことを特徴とする請求項３１〜４３のいずれか１項に記載のネットワークデバイス。
【請求項４５】
処理ユニットと通信ユニットとを備える端末デバイスであって、
前記処理ユニットは、ＤＲＸ構成情報に基づいて、ＤＲＸ指示信号のタイプを確定するように構成され、前記ＤＲＸ指示信号は、前記端末デバイスがＤＲＸ周期の活性化期間においてウェイクアップするように指示し、
前記通信ユニットは、前記ＤＲＸ指示信号のタイプに基づいて、ネットワークデバイスにより送信された前記ＤＲＸ指示信号を受信するように構成され、
前記処理ユニットは、さらに、前記ＤＲＸ指示信号に応答し、前記端末デバイスをＤＲＸ周期の活性化期間においてウェイクアップさせるように構成される
ことを特徴とする端末デバイス。
【請求項４６】
異なるＤＲＸ指示信号のタイプに含まれるシーケンスタイプ、シーケンス数及びシーケンス長さのうちの少なくとも１つが異なる
ことを特徴とする請求項４５に記載の端末デバイス。
【請求項４７】
異なるタイプのＤＲＸ指示信号により提供される同期能力が異なる
ことを特徴とする請求項４５又は４６に記載の端末デバイス。
【請求項４８】
前記確定されたＤＲＸ指示信号のタイプが第１のタイプ又は第２のタイプであり、
前記第１のタイプのＤＲＸ指示信号は、同期能力を提供し、
前記第２のタイプのＤＲＸ指示信号は、同期能力を提供しない
ことを特徴とする請求項４５〜４７のいずれか１項に記載の端末デバイス。
【請求項４９】
前記確定されたＤＲＸ指示信号のタイプが第１のタイプである場合、
前記処理ユニットは、さらに、
前記通信ユニットが前記ＤＲＸ指示信号の検出を行う過程において、検出されたＤＲＸ指示信号に基づいて、同期手順を実行するように構成される
ことを特徴とする請求項４８に記載の端末デバイス。
【請求項５０】
前記通信ユニットは、さらに、
前記ＤＲＸ指示信号のタイプに対応するシーケンス長さ及び／又は数に基づいて、ネットワークデバイスにより送信された前記ＤＲＸ指示信号を検出するように構成される
ことを特徴とする請求項４５〜４９のいずれか１項に記載の端末デバイス。
【請求項５１】
前記ＤＲＸ構成情報が前記ＤＲＸ周期の周期時間長を含む
ことを特徴とする請求項４５〜５０のいずれか１項に記載の端末デバイス。
【請求項５２】
前記処理ユニットは、さらに、
前記ＤＲＸ周期の周期時間長が第１の時間長より大きい場合、前記ＤＲＸ指示信号のタイプを同期能力が提供される第１のタイプとして確定し、又は、
前記ＤＲＸ周期の周期時間長が第１の時間長の以下である場合、前記ＤＲＸ指示信号のタイプを同期能力が提供されない第２のタイプとして確定するように構成される
ことを特徴とする請求項５１に記載の端末デバイス。
【請求項５３】
前記第１の時間長は、前記端末デバイスに予め設定された時間長である
ことを特徴とする請求項５２に記載の端末デバイス。
【請求項５４】
前記処理ユニットは、さらに、
前記ＤＲＸ周期の周期時間長が前記ネットワークデバイスにより通知された第２の時間長より大きい場合、前記ＤＲＸ指示信号のタイプを同期能力が提供される第１のタイプとして確定し、又は、
前記ＤＲＸ周期の周期時間長が前記ネットワークデバイスにより通知される第２の時間長の以下である場合、前記ＤＲＸ指示信号のタイプを同期能力が提供されない第２のタイプとして確定するように構成され、
前記第２の時間長は、前記ネットワークデバイスが前記端末デバイスの能力情報に基づいて確定したものである
ことを特徴とする請求項５１に記載の端末デバイス。
【請求項５５】
前記処理ユニットは、さらに、
ＤＲＸ構成情報に基づいて、前記端末デバイスの能力情報を参照して、前記ＤＲＸ指示信号のタイプを確定するように構成される
ことを特徴とする請求項４５〜５０のいずれか１項に記載の端末デバイス。
【請求項５６】
前記端末デバイスの能力情報は、前記端末デバイスが時間周波数同期を維持する時間長、及び／又は、
前記ＤＲＸ構成情報が前記ＤＲＸ周期の周期時間長を含む
ことを特徴とする請求項５５に記載の端末デバイス。
【請求項５７】
前記処理ユニットは、さらに、
前記端末デバイスが時間周波数同期を維持する時間長に基づいて第２の時間長を確定し、
前記ＤＲＸ周期の周期時間長が前記第２の時間長より大きい場合、前記ＤＲＸ指示信号のタイプを同期能力が提供される第１のタイプとして確定し、又は、
前記ＤＲＸ周期の周期時間長が前記第２の時間長の以下である場合、前記ＤＲＸ指示信号のタイプを同期能力が提供されない第２のタイプとして確定するように構成される
ことを特徴とする請求項５６に記載の端末デバイス。
【請求項５８】
前記処理ユニットは、さらに、
前記ＤＲＸ周期の周期時間長が前記端末デバイスが時間周波数同期を維持する時間長より大きい場合、前記ＤＲＸ指示信号のタイプを同期能力が提供される第１のタイプとして確定し、又は、
前記ＤＲＸ周期の周期時間長が前記端末デバイスが時間周波数同期を維持する時間長の以下である場合、前記ＤＲＸ指示信号のタイプを能力が提供されない第２のタイプとして確定するように構成される
ことを特徴とする請求項５６に記載の端末デバイス。
【請求項５９】
前記通信ユニットは、さらに、
前記ネットワークデバイスに指示情報を送信するように構成され、前記指示情報は、前記端末デバイスの能力情報を示す
ことを特徴とする請求項５４〜５８のいずれか１項に記載の端末デバイス。
【請求項６０】
前記通信ユニットは、さらに、
前記活性化期間の前に、又は、前記活性化期間における１番目のサブフレーム又は１番目のタイムスロットにおいて、ネットワークデバイスにより送信された前記ＤＲＸ指示信号を検出するように構成される
ことを特徴とする請求項４５〜５９のいずれか１項に記載の端末デバイス。
【発明の詳細な説明】
【技術分野】
【０００１】
本願は、通信分野に関し、具体的に、通信方法、端末デバイス及びネットワークデバイスに関する。
【背景技術】
【０００２】
端末の電力節約のために、非連続送信( Ｄｉｓｃｏｎｔｉｎｕｏｕｓ Ｒｅｃｅｐｔｉｏｎ、ＤＲＸ )メカニズムが、ロングタームエボリューション( Ｌｏｎｇ  Ｔｅｒｍ  Ｅｖｏｌｕｔｉｏｎ、ＬＴＥ )システムに導入される。データ伝送がないとき、物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )の受信を停止することによって、電力消費を低減し、それによってバッテリ使用時間を向上させることができる。ＤＲＸの基本メカニズムは、無線リソース制御( Ｒａｄｉｏ Ｒｅｓｏｕｒｃｅ Ｃｏｎｔｒｏｌ、ＲＲＣ )接続状態( ＲＲＣ ＿ ＣＯＮＮＥＣＴＥＤ )にある端末のためのＤＲＸ周期（ｃｙｃｌｅ）を構成することである。ＤＲＸ ｃｙｃｌｅは、活性化期間( Ｏｎ Ｄｕｒａｔｉｏｎ )及び休止期間( Ｏｐｐｏｒｔｕｎｉｔｙ ｆｏｒ ＤＲＸ )からなる。Ｏｎ Ｄｕｒａｔｉｏｎ時間に、端末はＰＤＣＣＨを傍受し受信し、Ｏｐｐｏｒｔｕｎｉｔｙ ｆｏｒ ＤＲＸ時間に、ＵＥは、電力消費を低減するためにＰＤＣＣＨを受信しない。
【０００３】
未来の通信システムでは、通信性能に対する要求が高い。
【０００４】
従って、通信性能を向上させるためにＤＲＸをどのように改善するかが、解決すべき課題である。
【発明の概要】
【０００５】
本願の実施例は、ＤＲＸ指示信号の送信をＤＲＸ構成情報により整合させることができ、通信性能を向上させることができる無線通信方法及びデバイスを提供する
第１の形態は、通信方法を提供し、
ネットワークデバイスが非連続伝送ＤＲＸ構成情報に基づいて、ＤＲＸ指示信号のタイプを確定することと、
確定されたＤＲＸ指示信号のタイプに基づいて、ネットワークデバイスが端末デバイスにＤＲＸ指示信号を送信することとを含み、
ここで、ＤＲＸ指示信号は、端末デバイスがＤＲＸ周期の活性化期間においてウェイクアップするように指示する。
【０００６】
従って、本願の実施例において、ネットワークデバイスは、ＤＲＸ構成情報に基づいてＤＲＸ指示信号のタイプを決定することができ、ＤＲＸ構成により適したＤＲＸ指示信号を選択することを可能にし、通信性能を向上させることができる。
【０００７】
本願の実施例における用語の名称は、本願の実施例の範囲を特に限定するものではないことを理解されたい
例えば、本願の実施例において記載される活性化期間は、他の名前(例えば、ウェイクアップ期間)を有することもでき、ここで、本願の実施例において記載される活性化期間は、その期間内に、端末デバイスがＰＤＣＣＨの検出及び/又は他の情報の受信を行うことを指す。
【０００８】
第１の形態と結合し、第１の形態の実現可能な方式において、異なるＤＲＸ指示信号のタイプに含まれるシーケンスタイプ、シーケンス数及びシーケンス長さのうちの少なくとも１つが異なる。
【０００９】
第１の形態又は上記の実現可能な方式と結合し、第１の形態の他の実現可能な方式において、異なるタイプのＤＲＸ指示信号により提供される同期能力が異なる。
【００１０】
第１の形態又は上記の実現可能な方式と結合し、第１の形態の他の実現可能な方式において、確定されたＤＲＸ指示信号のタイプは、第１のタイプ又は第２のタイプであり、ここで、
第１のタイプのＤＲＸ指示信号は、同期能力を提供し、
第２のタイプのＤＲＸ指示信号は、同期能力を提供しない。
【００１１】
従って、端末デバイスは、ＤＲＸ構成情報に基づいて、信号が同期能力を提供するかどうかをＤＲＸが指示するだけであることを決定することを行うことができ、ＰＳＳ／ＳＳＳによる同期化を可能な限り回避しながら、過剰なリソースの占有を回避する。
【００１２】
任意選択で、本願の実施例において、ＤＲＸ指示信号を、同期能力を提供するものと提供しないものの２タイプに区別することに加えて、同期能力に応じて他の複数のタイプに分けて考えることもできる。具体的には、同期化能力を提供できるＤＲＸ指示信号は、同期化を提供する能力の大きさに応じて少なくとも２タイプ以上に分けることができる。
【００１３】
第１の形態又は上記の実現可能な方式と結合し、第１の形態の他の実現可能な方式において、ＤＲＸ構成情報は、ＤＲＸ周期の周期時間長を含む。
【００１４】
第１の形態又は上記の実現可能な方式と結合し、第１の形態の他の実現可能な方式において、ネットワークデバイスがＤＲＸ構成情報に基づいてＤＲＸ指示信号のタイプを確定することは、
ＤＲＸ周期の周期時間長が第１の時間長より大きい場合、ＤＲＸ指示信号のタイプを同期能力が提供される第１のタイプとして確定し、又は、
ＤＲＸ周期の周期時間長が第１の時間長の以下である場合、ＤＲＸ指示信号のタイプを同期能力が提供されない第２のタイプとして確定する。
【００１５】
第１の形態又は上記の実現可能な方式と結合し、第１の形態の他の実現可能な方式において、第１の時間長は、ネットワークデバイスに予め設定された時間長である。
【００１６】
第１の形態又は上記の実現可能な方式と結合し、第１の形態の他の実現可能な方式において、ネットワークデバイスがＤＲＸ構成情報に基づいてＤＲＸ指示信号のタイプを確定することは、
ネットワークデバイスがＤＲＸ構成情に基づいて、端末デバイスの能力情報を参照して、ＤＲＸ指示信号のタイプを確定することを含む。
【００１７】
第１の形態又は上記の実現可能な方式と結合し、第１の形態の他の実現可能な方式において、端末デバイスの能力情報は、端末デバイスが時間周波数同期を維持する時間長、及び／又は、
ＤＲＸ構成情報は、ＤＲＸ周期の周期時間長を含む。
【００１８】
第１の形態又は上記の実現可能な方式と結合し、第１の形態の他の実現可能な方式において、ネットワークデバイスがＤＲＸ構成情報に基づいて、端末デバイスの能力情報を参照して、ＤＲＸ指示信号のタイプを確定することは、
端末デバイスが時間周波数同期を維持する時間長に基づいて、第２の時間長を確定することと、
ＤＲＸ周期の周期時間長が第２の時間長より大きい場合、ＤＲＸ指示信号のタイプを同期能力が提供される第１のタイプとして確定し、又は、
ＤＲＸ周期の周期時間長が第２の時間長の以下である場合、ＤＲＸ指示信号のタイプを同期能力が提供されない第２のタイプとして確定することとを含む。
【００１９】
第１の形態又は上記の実現可能な方式と結合し、第１の形態の他の実現可能な方式において、方法は、さらに、
ネットワークデバイスが端末デバイスに第２の時間長を通知することを含む。
【００２０】
第１の形態又は上記の実現可能な方式と結合し、第１の形態の他の実現可能な方式において、ネットワークデバイスがＤＲＸ構成情報に基づいて、端末デバイスの能力情報を参照して、ＤＲＸ指示信号のタイプを確定することは、
ＤＲＸ周期の周期時間長が、端末デバイスが時間周波数同期を維持する時間長より大きい場合、ＤＲＸ指示信号のタイプを同期能力が提供される第１のタイプとして確定し、又は、
ＤＲＸ周期の周期時間長が、端末デバイスが時間周波数同期を維持する時間長の以下である場合、ＤＲＸ指示信号のタイプを能力が提供されない第２のタイプとして確定することを含む。
【００２１】
従って、本願の実施例において、ＤＲＸ周期の周期時間長が短い場合には、端末デバイスが前回のウェイクアップからの時間が短く、端末デバイスがネットワークデバイスと同期を維持する可能性が高いため、端末デバイスに送信されるＤＲＸ指示信号のタイプが同期能力を提供できないＤＲＸ指示信号であり、また、ＤＲＸ周期の周期時間長が長い場合には、端末デバイスが前回のウェイクアップからの時間が長く、端末デバイスがネットワークデバイスと同期を維持する可能性が低いため、端末デバイスに送信されるＤＲＸ指示信号のタイプが同期能力を提供するＤＲＸ指示信号である。
【００２２】
第１の形態又は上記の実現可能な方式と結合し、第１の形態の他の実現可能な方式において、ネットワークデバイスが端末デバイスからの指示情報を受信し、指示情報は、端末デバイスの能力情報を示す。
【００２３】
第１の形態又は上記の実現可能な方式と結合し、第１の形態の他の実現可能な方式において、ネットワークデバイスが端末デバイスにＤＲＸ指示信号を送信することは、
活性化期間の前に、又は、活性化期間の１番目のサブフレーム又は１番目のタイムスロットにおいて、端末デバイスにＤＲＸ指示信号を送信することを含む。
【００２４】
第２形態は、通信方法を提供し、
端末デバイスがＤＲＸ構成情報に基づいて、ＤＲＸ指示信号のタイプを確定することと、
ＤＲＸ指示信号のタイプに基づいて、端末デバイスがネットワークデバイスからのＤＲＸ指示信号を検出することと、
ＤＲＸ指示信号に応答し、端末デバイスがＤＲＸ周期の活性化期間においてウェイクアップすることを含み、
ここで、ＤＲＸ指示信号は、端末デバイスがＤＲＸ周期の活性化期間においてウェイクアップするように指示する。
【００２５】
第２形態と結合し、第２形態の実現可能な方式において、異なるＤＲＸ指示信号のタイプに含まれるシーケンスタイプ、シーケンス数及びシーケンス長さのうちの少なくとも１つが異なる。
【００２６】
第２形態又は上記の実現可能な方式と結合し、第２形態の他の実現可能な方式において、異なるタイプのＤＲＸ指示信号により提供される同期能力が異なる。
【００２７】
第２形態又は上記の実現可能な方式と結合し、第２形態の他の実現可能な方式において、確定されたＤＲＸ指示信号のタイプは、第１のタイプ又は第２のタイプであり、ここで、
第１のタイプのＤＲＸ指示信号は、同期能力を提供し、
第２のタイプのＤＲＸ指示信号は、同期能力を提供しない。
【００２８】
第２形態又は上記の実現可能な方式と結合し、第２形態の他の実現可能な方式において、確定されたＤＲＸ指示信号のタイプが第１のタイプである場合、
方法は、さらに、
端末デバイスは、ＤＲＸ指示信号の検出過程において、検出されたＤＲＸ指示信号に基づいて、同期手順を実行することを含む。
【００２９】
第２形態又は上記の実現可能な方式と結合し、第２形態の他の実現可能な方式において、ＤＲＸ指示信号のタイプに基づいて、端末デバイスがネットワークデバイスからのＤＲＸ指示信号を検出することは、
ＤＲＸ指示信号のタイプに対応するシーケンス長さ及び／又は数に基づいて、端末デバイスが、ネットワークデバイスにより送信されたＤＲＸ指示信号を検出することを含む。
【００３０】
第２形態又は上記の実現可能な方式と結合し、第２形態の他の実現可能な方式において、ＤＲＸ構成情報がＤＲＸ周期の周期時間長を含む。
【００３１】
第２形態又は上記の実現可能な方式と結合し、第２形態の他の実現可能な方式において、端末デバイスがＤＲＸ構成情報に基づいて、ＤＲＸ指示信号のタイプを確定することは、
ＤＲＸ周期の周期時間長が第１の時間長より大きい場合、ＤＲＸ指示信号のタイプを同期能力が提供される第１のタイプとして確定し、又は、
ＤＲＸ周期の周期時間長が第１の時間長の以下である場合、ＤＲＸ指示信号のタイプを同期能力が提供されない第２のタイプとして確定することを含む。
【００３２】
第２形態又は上記の実現可能な方式と結合し、第２形態の他の実現可能な方式において、第１の時間長は、端末デバイスに予め設定された時間長である。
【００３３】
第２形態又は上記の実現可能な方式と結合し、第２形態の他の実現可能な方式において、端末デバイスがＤＲＸ構成情報に基づいて、ＤＲＸ指示信号のタイプを確定することは、
ＤＲＸ周期の周期時間長が、ネットワークデバイスから通知された第２の時間長より大きい場合、ＤＲＸ指示信号のタイプを同期能力が提供される第１のタイプとして確定し、又は、
ＤＲＸ周期の周期時間長がネットワークデバイスから通知された第２の時間長の以下である場合、ＤＲＸ指示信号のタイプを同期能力が提供されない第２のタイプとして提供することを含み、
ここで、第２の時間長は、ネットワークデバイスが端末デバイスの能力情報に基づいて確定されたものである。
【００３４】
第２形態又は上記の実現可能な方式と結合し、第２形態の他の実現可能な方式において、端末デバイスがＤＲＸ構成情報に基づいて、ＤＲＸ指示信号のタイプを確定することは、
端末デバイスがＤＲＸ構成情報に基づいて、端末デバイスの能力情報を参照して、ＤＲＸ指示信号のタイプを確定することを含む。
【００３５】
第２形態又は上記の実現可能な方式と結合し、第２形態の他の実現可能な方式において、端末デバイスの能力情報が、端末デバイスが時間周波数同期を維持する時間長を含み、及び／又は、
ＤＲＸ構成情報がＤＲＸ周期の周期時間長を含む。
【００３６】
第２形態又は上記の実現可能な方式と結合し、第２形態の他の実現可能な方式において、端末デバイスデバイスがＤＲＸ構成情報に基づいて、端末デバイスの能力情報を参照して、ＤＲＸ指示信号のタイプを確定することは、
端末デバイスが時間周波数同期を維持する時間長に基づいて第２の時間長を確定することと、
ＤＲＸ周期の周期時間長が第２の時間長より大きい場合、ＤＲＸ指示信号のタイプを同期能力が提供される第１のタイプとして確定し、又は、
ＤＲＸ周期の周期時間長が第２の時間長の以下である場合、ＤＲＸ指示信号のタイプを同期能力が提供されない第２のタイプとして確定することとを含む。
【００３７】
第２形態又は上記の実現可能な方式と結合し、第２形態の他の実現可能な方式において、端末デバイスがＤＲＸ構成情報に基づいて、端末デバイスの能力情報を参照して、ＤＲＸ指示信号のタイプを確定することは、
ＤＲＸ周期の周期時間長が、端末デバイスが時間周波数同期を維持する時間長より大きい場合、ＤＲＸ指示信号のタイプを同期能力が提供される第１のタイプとして確定し、又は、
ＤＲＸ周期の周期時間長が、端末デバイスが時間周波数同期を維持する時間長の以下である場合、ＤＲＸ指示信号のタイプを能力が提供されない第２のタイプとして確定することを含む。
【００３８】
第２形態又は上記の実現可能な方式と結合し、第２形態の他の実現可能な方式において、方法は、さらに、
端末デバイスがネットワークデバイスに指示情報を送信することを含み、前記指示情報は、端末デバイスの能力情報を示す。
【００３９】
第２形態又は上記の実現可能な方式と結合し、第２形態の他の実現可能な方式において、端末デバイスがネットワークデバイスにより送信されたＤＲＸ指示信号を検出することは、
活性化期間の前に、又は、活性化期間の１番目のサブフレーム又は１番目のタイムスロットにおいて、端末デバイスがネットワークデバイスにより送信されたＤＲＸ指示信号を検出することを含む。
【００４０】
第３の態様は、上記の第１の態様または第１の態様の任意の可能な実装における方法を実行するためのネットワークデバイスを提供する。具体的には、ネットワークデバイスは、上記の第１の態様または第１の態様の任意の可能な実装形態における方法を実行するためのユニットを含む。
【００４１】
第４の態様は、上記第２の態様または第２の態様の任意の可能な実装における方法を実行するための端末デバイスを提供する。具体的には、端末デバイスは、上記の第２の態様または第２の態様の任意の可能な実装形態における方法を実行するためのユニットを含む。
【００４２】
第５の態様は、メモリと、プロセッサと、入力インターフェースと、出力インターフェースとを備えるネットワークデバイスを提供する。ここで、メモリ、プロセッサ、入力インターフェース、出力インターフェースは、バスシステムを介して接続される。メモリは、命令を記憶するために使用され、プロセッサは、メモリに記憶された命令を実行して、第１の態様または第１の態様の任意の可能な実装形態において、方法を実行するために使用される。
【００４３】
第６の態様では、メモリと、プロセッサと、入力インターフェースと、出力インターフェースとを備える端末デバイスを提供する。メモリ、プロセッサ、入力インターフェース、出力インターフェースは、バスシステムを介して接続される。メモリは、命令を記憶するために使用され、プロセッサは、メモリに記憶された命令を実行して、上述の第２の態様または第２の態様の任意の可能な実装形態における方法を実行するために使用される。
【００４４】
第７の態様は、上記の態様のいずれかの方法またはその可能な実装形態の方法を実行するためのコンピュータソフトウェア命令を記憶するためのコンピュータ記憶媒体を提供し、上記の態様を実行するように設計されたプログラムを含む。
【００４５】
第８の態様は、上述の態様のいずれかの方法またはその可能な実装を実行するためのコンピュータソフトウェア命令を含むコンピュータプログラム製品を提供し、コンピュータ記憶媒体に記憶される。
【図面の簡単な説明】
【００４６】
本願の上記および他の特徴およびメリットは、添付の図面を参照して詳細に説明する例示的な実施例により、より明らかになる。なお、以下の記載における図面はただ本願の一部の実施例に過ぎず、当業者の場合、創造的な労働を付与しない前提で、これらの図面によって他の図面を得ることができる。
【図１】本願の実施例における無線通信システムの模式図である。
【図２】本願の実施例におけるＤＲＸ周期の模式図である。
【図３】本願の実施例における通信方法のフローチャートである。
【図４】本願の実施例における通信方法のフローチャートである。
【図５】本願の実施例におけるネットワークデバイスのブロック図である。
【図６】本願の実施例における端末デバイスのブロック図である。
【図７】本願の実施例におけるシステムチップのブロック図である。
【図８】本願の実施例における通信デバイスのブロック図である。
【発明を実施するための形態】
【００４７】
以下、本願の実施例について図面を参照して説明するが、本願は、この実施例に限定されるものではなく、本願の技術的思想に基づく各種の変形が可能である。本願における実施例に基づいて、当業者が創造的な労働をすることなく得られる全ての他の実施例は、本願の保護範囲に属する。
【００４８】
本願の実施例の技術は、様々な通信システムに適用可能であり、例えば、Ｇｌｏｂａｌ Ｓｙｓｔｅｍ ｏｆ Ｍｏｂｉｌｅ ｃｏｍｍｕｎｉｃａｔｉｏｎ ( ＧＳＭ )方式、Ｃｏｄｅ Ｄｉｖｉｓｉｏｎ Ｍｕｌｔｉｐｌｅ Ａｃｃｅｓｓ ( ＣＤＭＡ )方式、Ｗｉｄｅｂａｎｄ Ｃｏｄｅ Ｄｉｖｉｓｉｏｎ Ｍｕｌｔｉｐｌｅ Ａｃｃｅｓｓ ( ＷＣＤＭＡ )方式、Ｇｅｎｅｒａｌ Ｐａｃｋｅｔ Ｒａｄｉｏ Ｓｅｒｖｉｃｅ ( ＧＰＲＳ )方式、Ｌｏｎｇ Ｔｅｒｍ Ｅｖｏｌｕｔｉｏｎ ( ＬＴＥ )方式、Ｆｒｅｑｕｅｎｃｙ Ｄｉｖｉｓｉｏｎ Ｄｕｐｌｅｘ ( ＦＤＤ )方式、Ｔｉｍｅ Ｄｉｖｉｓｉｏｎ Ｄｕｐｌｅｘ ( ＴＤＤ )方式、Ｕｎｉｖｅｒｓａｌ Ｍｏｂｉｌｅ Ｔｅｌｅｃｏｍｍｕｎｉｃａｔｉｏｎ Ｓｙｓｔｅｍ ( ＵＭＴＳ )方式、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ ( ＷｉＭＡＸ )方式、又は将来の５Ｇ方式(Ｎｅｗ Ｒａｄｉｏ、ＮＲ )方式等の、グローバルシステムにおける無線通信方式、又は、５Ｇ方式における無線通信方式(Ｎｅｗ Ｒａｄｉｏ、ＮＲ )方式、又は、５Ｇ方式における無線通信方式等のように、無線通信方式を用いることができる。
【００４９】
図１は、本願の実施例が適用される無線通信システム１００を示す。
【００５０】
図１は、１つのネットワークデバイス及び２つの端末デバイスを例示的に示し、任意選択で、当該無線通信システム１００は、複数のネットワークデバイスを含み、各ネットワークデバイスのカバレージ内に他の数の端末デバイスを含んでもよく、本願の実施例は、これに限定されない。
【００５１】
当該無線通信システム１００は、ネットワークデバイス１１０を含み得る。ネットワークデバイス１１０は、端末デバイスと通信するデバイスであってもよい。ネットワークデバイス１１０は、特定の地理的エリアに通信カバレッジを提供し得、カバレッジエリア内に配置されたＵＥなどの端末デバイスと通信し得る。任意選択で、ネットワークデバイス１１０は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、LＴEシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００５２】
当該無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、無線通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００５３】
任意選択で、端末デバイス１２０間の端末直接接続( Ｄｅｖｉｃｅ ｔｏ Ｄｅｖｉｃｅ、Ｄ2Ｄ )通信が行われてもよい。
【００５４】
任意選択で、５Ｇシステム又はネットワークは、新たな無線( Ｎｅｗ Ｒａｄｉｏ、ＮＲ )システム又はネットワークと呼ばれることもある。
【００５５】
任意選択で、無線通信システム１００は、ネットワークコントローラ、モビリティ管理エンティティなどの他のネットワークエンティティをさらに含むことができ、本願の実施例はこれに限定されない。
【００５６】
任意選択で、本願の実施例において、図２に示すように、ＤＲＸ ｃｙｃｌｅは、活性化期間( Ｏｎ Ｄｕｒａｔｉｏｎ )及び休止期間( Ｏｐｐｏｒｔｕｎｉｔｙ ｆｏｒ ＤＲＸ )からなる。Ｏｎ Ｄｕｒａｔｉｏｎ時間に、端末はＰＤＣＣＨを傍受し受信し、Ｏｐｐｏｒｔｕｎｉｔｙ ｆｏｒ ＤＲＸ時間に、ＵＥは、電力消費を低減するためにＰＤＣＣＨを受信しない。
【００５７】
任意選択で、ページングメッセージの伝送は、ＲＲＣアイドル( ＲＲＣ ｉｄｌｅ )状態のＤＲＸメカニズムであってもよく、この場合、ＤＲＸ周期はページングメッセージの周期である。
【００５８】
しかしながら、ネットワークデバイスは端末デバイスにＤＲＸメカニズムを構成しているが、端末デバイスは、周期的に現れるｏｎ ｄｕｒａｔｉｏｎは機会的にのみスケジューリングされ、端末トラフィック負荷が低い場合でも端末は少数のＤＲＸ周期でしかスケジューリングされないため、ＤＲＸメカニズムを採用するページングメッセージの場合、端末がページングメッセージを受信する機会はより少ない。したがって、端末は、ＤＲＸ機構を構成した後、依然として多くのｏｎ ｄｕｒａｔｉｏｎ以内のＰＤＣＣＨがデータシケジューリングが検出されず、これは、さらなる最適化空間を有する。
【００５９】
従って、この問題を解決するために、ネットワークデバイスが端末デバイスをＤＲＸ ｏｎ ｄｕｒａｔｉｏｎでスケジューリングする必要があると判断した場合、端末デバイスをウェイクアップするためのウェイクアップ信号のようなＤＲＸ指示信号をＤＲＸ周期の前に端末デバイスに送信し、そうでない場合、端末デバイスにＤＲＸ指示信号を送信しない。端末デバイスは、ＤＲＸのｏｎ ｄｕｒａｔｉｏｎにおいてＰＤＣＣＨ検出及びデータ受信を、ウェイクアップ信号を検出した後にのみウェイクアップし、そうでなければＰＤＣＣＨ検出を行わない。
【００６０】
通信性能を向上させるために、本願の実施例は、ＤＲＸ指示信号に関して通信方法２００を提供する。図３に示されるように、方法２００は、以下のコンテンツの少なくとも一部を含む。
【００６１】
２１０において、ネットワークデバイスがＤＲＸ構成情報に基づいてＤＲＸ指示信号のタイプを確定し、ここで、当該ＤＲＸ指示信号は、当該端末デバイスがＤＲＸ周期の活性化期間においてウェイクアップするように指示する。
【００６２】
任意選択で、ネットワークデバイスは、ブロードキャスト、ユニキャスト、又はマルチキャストの方法でネットワークデバイスをＤＲＸ構成することができる。ここで、ＤＲＸ指示信号のタイプが基づくＤＲＸ構成情報を決定することは、ＤＲＸ指示信号を受信する端末デバイスのためにネットワークデバイスが構成するＤＲＸ構成情報であってもよい。
【００６３】
任意選択的に、送信されるＤＲＸ指示信号のタイプは、異なるＤＲＸ設定の端末デバイスについて異なり得る。
【００６４】
２２０において、確定された当該ＤＲＸ指示信号のタイプに基づいて、当該ネットワークデバイスが当該端末デバイスに当該ＤＲＸ指示信号を送信する。
【００６５】
任意選択で、当該活性化期間の前に、又は、当該活性化期間の１番目のサブフレーム又は１番目のタイムスロットにおいて、ネットワークデバイスが当該端末デバイスに当該ＤＲＸ指示信号を送信する。
【００６６】
従って、本願の実施例において、ネットワークデバイスは、ＤＲＸ構成情報に基づいてＤＲＸ指示信号のタイプを決定することができ、ＤＲＸ構成により適したＤＲＸ指示信号を選択することを可能にし、通信性能を向上させることができる。
【００６７】
本願の実施例における用語の名称は、本願の実施例の範囲を特に限定するものではないことを理解されたい。
【００６８】
例えば、本願の実施例において記載される活性化期間は、他の名前(例えば、覚醒期間)であってもよく、ここで、本願の実施例において記載される活性化期間は、その期間内に、端末デバイスがＰＤＣＣＨの検出及び/又は他の情報の受信を行うことを指す。
【００６９】
また、本願の実施例に係るＤＲＸメカニズムは、図２に示されたもの以外のメカニズムに使用されてもよいことが理解される。
【００７０】
例えば、端末デバイスが図２に示すような活性化期間においてウェイクアップしていない場合、その活性化期間を休止期間等と呼ぶこともできる。
【００７１】
もちろん、本願の実施例で提案する活性化期間は、端末デバイスがスケジューリングされる可能性を備える周期的に発生する期間であってもよい。
【００７２】
任意選択で、異なるＤＲＸ指示信号のタイプに含まれるシーケンスタイプ、シーケンス数及びシーケンス長さのうちの少なくとも１つが異なる。
【００７３】
任意選択で、異なるＤＲＸ指示信号のタイプが提供する同期能力は、異なる。
【００７４】
任意選択で、当該確定されたＤＲＸ指示信号のタイプは、第１のタイプ又は第２のタイプであり、ここで、
当該第１のタイプのＤＲＸ指示信号に同期能力が提供され、
当該第２のタイプのＤＲＸ指示信号に同期能力が提供されない。
【００７５】
具体的に、ＤＲＸ周期は比較的長くなり得るため、例えば、ＤＲＸ周期は２５６０ｍｓ又は４５分になり得る。端末デバイスは、長いＤＲＸ周期が構成される場合、ＤＲＸがウェイクアップする前にＤＲＸ指示信号を受信して検出する時に、端末デバイスは、下り同期を再取得する必要がある。
【００７６】
ここで、端末デバイスは、以下の２つの方式に基づいて下り同期を取得することができ、
１）端末デバイスは、主同期信号( Ｐｒｉｍａｒｙ Ｓｙｎｃｈｒｏｎｉｚａｔｉｏｎ Ｓｉｇｎａｌ、ＰＳＳ ) / ( Ｓｅｃｏｎｄａｒｙ Ｓｙｎｃｈｒｏｎｉｚａｔｉｏｎ Ｓｉｇｎａｌ、ＳＳＳ )に基づいて下り同期を取得する。
【００７７】
２）端末デバイスは、ＤＲＸ指示信号自体に基づいて下り同期を取得し、すなわち、ＤＲＸ指示信号自体が同期を提供する能力を有する。
【００７８】
第１の方法では、端末デバイスが下り同期を完了するために補助的な端末デバイスを必要とせず、リソースの占有量も少ないため、ＤＲＸ指示信号の設計が比較的簡単であるが、端末デバイスが時間的に離散的なＰＳＳ/ＳＳＳ信号を受信して同期をとり、その後にＤＲＸ指示信号を再検出する必要がある。
【００７９】
第２の方法は、ＤＲＸ指示信号自体が同期能力を提供できるため、端末デバイスがＤＲＸ指示信号を検出する時間が短く、短時間で同期を完了し、ＤＲＸ指示信号を検出することができるため、端末デバイスの消費電力をより節約することができる。
【００８０】
従って、端末デバイスは、ＤＲＸ構成情報に基づいて、信号が同期能力を提供するかどうかをＤＲＸに指示するだけであることを決定し、ＰＳＳ / ＳＳＳによる同期化を可能な限り回避しながら、過剰なリソースの占有を回避する。
【００８１】
任意選択で、本願の実施例において、ＤＲＸ指示信号が同期能力を提供することは、当該ＤＲＸ指示信号に同期信号シーケンスが含まれることであってもよく、一方、ＤＲＸ指示信号が同期能力を提供しないことは、ＤＲＸ指示信号に同期信号シーケンスが含まれないことである。
【００８２】
任意選択で、本願の実施例において、ＤＲＸ指示信号が同期能力を提供することは、当該ＤＲＸが含むシーケンス自体が同期能力を提供できることであり得、従って、ＤＲＸ指示信号が同期能力を提供しないことは、ＤＲＸ指示信号が含むシーケンス自体が同期能力を提供しないことであり得る。
【００８３】
任意選択で、本願の実施例において、ＤＲＸ指示信号を、同期能力を提供するものと提供しないものの２タイプに区別することに加えて、同期能力に応じて他の複数のタイプに分けて考えることもできる。具体的には、同期化能力を提供できるＤＲＸ指示信号は、同期化を提供する能力の大きさに応じて少なくとも２タイプ以上に分けることができる。
【００８４】
例えば、同期能力を提供するＤＲＸ指示信号を、粗い同期を提供するＤＲＸ指示信号と、細かい同期を提供する指示信号とに分けることができる。
【００８５】
例えば、同期能力を提供するＤＲＸ指示信号を、粗い同期を提供するＤＲＸ指示信号、細かい同期を提供する指示信号、及びより細かい同期を提供する指示信号に分けることができる。
【００８６】
任意選択で、本願の実施例において、ＤＲＸ指示信号が提供される同期能力が高いほど、ＤＲＸ指示信号が含むシーケンスの数は多くなり、及び/又はシーケンスの長さは長くなる。
【００８７】
例えば、本願の実施例において、同期化能力を提供しないＤＲＸ指示信号は、同期化能力を提供できるＤＲＸ指示信号よりも長いシーケンス長を含む。
【００８８】
例えば、本願の実施例において、細かい同期を提供するＤＲＸ指示信号は、粗い同期を提供することが可能なＤＲＸ指示信号よりも長いシーケンス長を含む。
【００８９】
例えば、本願の実施例において、同期化能力を提供しないＤＲＸ指示信号は、同期化能力を提供できるＤＲＸ指示信号よりも少ないシーケンス数を含む。
【００９０】
例えば、本願の実施例において、細かい同期を提供するＤＲＸ指示信号は、粗い同期を提供することが可能なＤＲＸ指示信号よりも多くのシーケンスを含む。
【００９１】
任意選択で、ネットワークデバイスは、ＤＲＸ構成情報に含まれるＤＲＸ周期の周期時間長に基づいてＤＲＸ指示信号のタイプを確定する。
【００９２】
本願の実施例は、ＤＲＸ周期の周期長に応じてＤＲＸ指示信号のタイプを決定することに必ずしも限定されず、他のＤＲＸ構成情報に応じて設定されてもよいことが理解される。例えば、ＤＲＸ周期における活性化期間の長さや休止期間の長さ等に依存してもよい。
【００９３】
任意選択で、本願の実施例において、当該ＤＲＸ周期の周期時間長が第１の時間長より大きい場合、当該ＤＲＸ指示信号のタイプを同期能力が提供される第１のタイプとして確定する。
【００９４】
任意選択で、当該ＤＲＸ周期の周期時間長が第１の時間長の以下である場合、当該ＤＲＸ指示信号のタイプを同期能力が提供されない第２のタイプとして確定する。
【００９５】
任意選択で、当該第１の時間長は、当該ネットワークデバイスに予め設定された時間長である。
【００９６】
具体的に、ＤＲＸ周期が周期閾値Ｔより大きい場合、ネットワークデバイスが端末デバイスに第１のタイプのＤＲＸ指示信号を送信し、そうでない場合端末デバイスに第２のタイプのＤＲＸ指示信号を送信する。
【００９７】
例えば、周期閾値Ｔ＝６００ｍｓであり、ＤＲＸ周期が６００ｍｓより大きい場合、端末に送信されるＤＲＸ指示信号は同期能力を提供し、そうでない場合、端末デバイスに送信されるＤＲＸ指示信号は、同期能力を提供しない。
【００９８】
任意選択で、本願の実施例において、当該ネットワークデバイスがＤＲＸ構成情報に基づいて、当該端末デバイスの能力情報を参照して、当該ＤＲＸ指示信号のタイプを確定する。
【００９９】
任意選択で、当該端末デバイスの能力情報は、当該端末デバイスが時間周波数同期を維持する時間長を含む。
【０１００】
明確するために、以下は２つの実現方式によって、どのようにＤＲＸ構成情報に基づいて、当該端末デバイスの能力情報を参照して、当該ＤＲＸ指示信号のタイプを確定することを説明する。
【０１０１】
ある実現方式において、当該端末デバイスが時間周波数同期を維持する時間長に基づいて、第２の時間長を確定し、当該ＤＲＸ周期の周期時間長が当該第２の時間長より大きい場合、当該ＤＲＸ指示信号のタイプを同期能力が提供される第１のタイプとして確定し、又は、当該ＤＲＸ周期の周期時間長が当該第２の時間長の以下である場合、当該ＤＲＸ指示信号のタイプを同期能力が提供されない第２のタイプとして確定する。
【０１０２】
任意選択で、本願の実施例において、当該ネットワークデバイスが当該端末デバイスに当該第２の時間長を通知する。
【０１０３】
例えば、端末デバイスに報告された時間周波数同期を維持するための時間長情報Ｔ＿ＵＥ＝１２００ｍｓであり、時間長情報に基づいて第２の時間期間を確定し、例えば１０００ｍｓを確定し、ＤＲＸ周期が１０００ｍｓより大きい場合、端末デバイスに送信されるＤＲＸ指示信号は同期能力を提供し得、そうでない場合、端末デバイスに送信されるＤＲＸ指示信号は同期能力を提供しない。
【０１０４】
ここで、ネットワークデバイスが当該端末デバイスが時間周波数同期を維持する時間長に基づいて確定された第２の時間長は、当該端末デバイスが時間周波数同期を維持する時間長に等しくても良い。
【０１０５】
又は、ネットワークデバイスが当該端末デバイスが時間周波数同期を維持する時間長に基づいて確定された第２の時間長は、当該端末デバイスが時間周波数同期を維持する時間長より小さい。
【０１０６】
ある実現方式において、当該ＤＲＸ周期の周期時間長が、当該端末デバイスが時間周波数同期を維持する時間長より大きい場合、当該ＤＲＸ指示信号のタイプを同期能力が提供される第１のタイプとして確定し、又は、当該ＤＲＸ周期の周期時間長が当該端末デバイスが時間周波数同期を維持する時間長の以下である場合、当該ＤＲＸ指示信号のタイプを能力が提供されない第２のタイプとして確定する。
【０１０７】
例えば、端末デバイスに報告された時間周波数同期を維持するための時間長情報Ｔ＿ＵＥ＝１２００ｍｓであり、ＤＲＸ周期が１２００ｍｓよりも大きい場合、端末デバイスに送信されるＤＲＸ指示信号は同期能力を提供し、そうでない場合、端末デバイスに送信されるＤＲＸ指示信号は、同期能力を提供しない。
【０１０８】
具体的には、本願の実施例において、ＤＲＸ周期の周期時間長が短い場合には、端末デバイスが前回のウェイクアップからの時間が短く、端末デバイスがネットワークデバイスと同期を維持する可能性が高いため、端末デバイスに送信されるＤＲＸ指示信号のタイプが同期能力を提供しないＤＲＸ指示信号であり、また、ＤＲＸ周期の周期時間長が長い場合には、端末デバイスが前回のウェイクアップからの時間が長く、端末デバイスがネットワークデバイスと同期を維持する可能性が低いため、端末デバイスに送信されるＤＲＸ指示信号のタイプが同期能力を提供するＤＲＸ指示信号である。
【０１０９】
また、端末デバイスが時間周波数同期を維持する時間が短い場合、端末デバイスがネットワークデバイスと同期を維持する可能性が高く、端末デバイスに送信されるＤＲＸ指示信号のタイプは、同期能力を提供できないＤＲＸ指示信号であってもよく、端末デバイスが時間周波数同期を維持する時間が長い場合、端末デバイスがネットワークデバイスと同期を維持する可能性が低く、端末デバイスに送信されるＤＲＸ指示信号のタイプは、同期能力を提供するＤＲＸ指示信号であってもよい。
【０１１０】
任意選択で、本願の実施例において、当該ネットワークデバイスが当該端末デバイスにより送信された指示情報を受信し、当該指示情報は、当該端末デバイスの能力情報を示す。
【０１１１】
従って、本願の実施例において、ＤＲＸ周期の周期時間長及び端末デバイスが時間周波数同期を維持する時間長情報に関連して、ＤＲＸ指示信号の送信が更に最適化されることができる。
【０１１２】
図４は本願の実施例における通信方法３００のフローチャートである。
【０１１３】
３１０において、端末デバイスがＤＲＸ構成情報に基づいて、ＤＲＸ指示信号のタイプを確定し、ここで、当該ＤＲＸ指示信号は、当該端末デバイスがＤＲＸ周期の活性化期間においてウェイクアップするように指示する。
【０１１４】
当該活性化期間の前に、又は、当該活性化期間の１番目のサブフレーム又は１番目のタイムスロットにおいて、当該端末デバイスがネットワークデバイスにより送信された当該ＤＲＸ指示信号を検出する。
【０１１５】
３２０において、当該ＤＲＸ指示信号のタイプに基づいて、当該端末デバイスがネットワークデバイスにより送信された当該ＤＲＸ指示信号を検出する。
【０１１６】
３３０において、当該ＤＲＸ指示信号に応答し、当該端末デバイスがＤＲＸ周期の活性化期間においてウェイクアップする。
【０１１７】
任意選択で、本願の実施例において、異なるＤＲＸ指示信号のタイプに含まれるシーケンスタイプ、シーケンス数及びシーケンス長さのうちの少なくとも１つが異なる。
【０１１８】
任意選択で、異なるタイプのＤＲＸ指示信号により提供される同期能力が異なる。
【０１１９】
任意選択で、当該確定されたＤＲＸ指示信号のタイプは、第１のタイプ又は第２のタイプであり、ここで、当該第１のタイプのＤＲＸ指示信号は、同期能力を提供し、当該第２のタイプのＤＲＸ指示信号は、同期能力を提供しない。
【０１２０】
任意選択で、当該確定されたＤＲＸ指示信号のタイプが第１のタイプである場合、当該端末デバイスが当該ＤＲＸ指示信号の検出過程において、検出されたＤＲＸ指示信号に基づいて、同期手順を実行する。
【０１２１】
任意選択で、当該確定されたＤＲＸ指示信号のタイプが第２のタイプである場合、この時、端末デバイスがネットワークデバイスに同期される場合、当該端末デバイスが、同期の手順を実行しない。
【０１２２】
任意選択で、当該確定されたＤＲＸ指示信号のタイプが第２のタイプであり、この時、端末デバイスがネットワークデバイスに同期されない場合、当該端末デバイスが、ネットワークデバイスにより送信された他の同期信号（例えば、ＰＳＳ及び／又はＳＳＳ）を検出し、同期を行うことができる。
【０１２３】
任意選択で、当該ＤＲＸ指示信号のタイプに対応するシーケンス長さ及び／又は数に基づいて、当該端末デバイスがネットワークデバイスにより送信された当該ＤＲＸ指示信号を検出する。
【０１２４】
任意選択で、当該ＤＲＸ構成情報が当該ＤＲＸ周期の周期時間長を含む。
【０１２５】
任意選択で、当該ＤＲＸ周期の周期時間長が第１の時間長より大きい場合、当該ＤＲＸ指示信号のタイプを同期能力が提供される第１のタイプとして確定し、又は、当該ＤＲＸ周期の周期時間長が第１の時間長の以下である場合、当該ＤＲＸ指示信号のタイプを同期能力が提供されない第２のタイプとして確定する。
【０１２６】
任意選択で、当該第１の時間長は、当該端末デバイスに予め設定された時間長である。
【０１２７】
任意選択で、当該ＤＲＸ周期の周期時間長が当該ネットワークデバイスから通知される第２の時間長より大きい場合、当該ＤＲＸ指示信号のタイプを同期能力が提供される第１のタイプとして確定し、又は、当該ＤＲＸ周期の周期時間長が当該ネットワークデバイスから通知される第２の時間長の以下である場合、当該ＤＲＸ指示信号のタイプを同期能力が提供されない第２のタイプとして確定し、ここで、当該第２の時間長は、当該ネットワークデバイスが当該端末デバイスの能力情報に基づいて確定されたものである。
【０１２８】
任意選択で、当該端末デバイスがＤＲＸ構成情報に基づいて、当該端末デバイスの能力情報を参照して、当該ＤＲＸ指示信号のタイプを確定する。
【０１２９】
任意選択で、当該端末デバイスの能力情報は、当該端末デバイスが時間周波数同期を維持する時間長、及び／又は、当該ＤＲＸ構成情報は、当該ＤＲＸ周期の周期時間長を含む。
【０１３０】
任意選択で、当該端末デバイスが時間周波数同期を維持する時間長に基づいて第２の時間長を確定し、当該ＤＲＸ周期の周期時間長が当該第２の時間長より大きい場合、当該ＤＲＸ指示信号のタイプを同期能力が提供される第１のタイプとして確定し、又は、当該ＤＲＸ周期の周期時間長が当該第２の時間長の以下である場合、当該ＤＲＸ指示信号のタイプを同期能力が提供されない第２のタイプとして確定する。
【０１３１】
任意選択で、端末デバイスが確定された当該第２の時間長をネットワークデバイスに通知し、ネットワークデバイスが端末デバイスから通知された第２の時間長に基づいて、ＤＲＸ指示信号のタイプを確定してもよい。
【０１３２】
任意選択で、当該ＤＲＸ周期の周期時間長が当該端末デバイスが時間周波数同期を維持する時間長より大きい場合、当該ＤＲＸ指示信号のタイプを同期能力が提供される第１のタイプとして確定し、又は、当該ＤＲＸ周期の周期時間長が当該端末デバイスが時間周波数同期を維持する時間長の以下である場合、当該ＤＲＸ指示信号のタイプを能力が提供されない第２のタイプとして確定する。
【０１３３】
任意選択で、当該端末デバイスが当該ネットワークデバイスに指示情報を送信し、当該指示情報は、当該端末デバイスの能力情報を示す。
【０１３４】
任意選択で、図４に示される方法３００の説明は、簡潔のためにここでは繰り返さない上記の方法２００の説明を参照され得る。
【０１３５】
例えば、ＤＲＸ指示信号のタイプに関する説明は、方法２００における上記の説明を参照する。
【０１３６】
例えば、端末デバイスがＤＲＸ指示信号の種類を確定する方法については、上記の方法（２００）で説明したネットワークデバイスがＤＲＸ指示信号の種類を確定する方法を参照することができる。
【０１３７】
従って、本願の実施例において、ネットワークデバイスは、端末デバイスに設定される異なるＤＲＸの周期的な状況に応じて、さらに、端末デバイスが時間周波数同期を維持する時間の長さを参照して、端末デバイスに送信されるＤＲＸ指示信号のタイプを確定することができ、即ち、ＤＲＸ指示信号が同期機能を提供するか否かを決定することにより、ＤＲＸ周期が長い場合に端末デバイスがＤＲＸ指示信号を受信して検出するための電力消費を最大限最適化することを可能にし、且つ、ＤＲＸ周期が短い場合に可能な限り同期シーケンスを提供しないＤＲＸ指示信号を送信することを可能にし、システムオーバを節約する。
【０１３８】
本願の実施例において、ＤＲＸ指示信号のタイプは、図３及び図４に示されるようなＤＲＸ構成情報に加えて、他の方法に基づいて決定されてもよいことが理解される。
【０１３９】
具体的には、ＤＲＸ指示信号のタイプは、端末デバイスが以前にスケジューリングされた状況に基づいて決定される。
【０１４０】
例えば、端末デバイスのＤＲＸ指示信号の送信時刻が端末デバイスに前回スケジューリングされた時間から一定時間以上離れている場合には、ＤＲＸ指示信号のタイプは同期化能力を提供し、そうでない場合には、ＤＲＸ指示信号のタイプは同期化能力を提供しないと判定することができる。
【０１４１】
ここで、所定時間長は、予め設定された時間であってもよいし、端末デバイスが時間周波数同期を維持する時間に基づいて決定された時間であってもよいし、端末デバイスの時間周波数同期を維持する時間長に基づいて確定された時間長であっても良い。
【０１４２】
任意選択的に、本願の実施において、ＤＲＸ指示信号のタイプは、以前にスケジューリングされた端末デバイスの場合及びＤＲＸ構成情報の両方と組み合わせて決定されてもよい。
【０１４３】
図５は本願の実施例におけるネットワークデバイス４００のブロック図である。図５に示すように、当該ネットワークデバイス４００は、処理ユニット４１０及び通信ユニット４２０を含む。
【０１４４】
当該処理ユニット４１０は、非連続伝送ＤＲＸ構成情報に基づいて、ＤＲＸ指示信号のタイプを確定するように構成され、ここで、当該ＤＲＸ指示信号は、当該端末デバイスがＤＲＸ周期の活性化期間においてウェイクアップするように指示する、
当該通信ユニット４２０は、当該処理ユニットにより確定された当該ＤＲＸ指示信号のタイプに基づいて、当該端末デバイスに当該ＤＲＸ指示信号を送信するように構成される。
【０１４５】
任意選択で、異なるＤＲＸ指示信号のタイプに含まれるシーケンスタイプ、シーケンス数及びシーケンス長さのうちの少なくとも１つが異なる。
【０１４６】
任意選択で、異なるタイプのＤＲＸ指示信号により提供される同期能力が異なる。
【０１４７】
任意選択で、当該確定されたＤＲＸ指示信号のタイプは、第１のタイプ又は第２のタイプであり、ここで、
当該第１のタイプのＤＲＸ指示信号に同期能力が提供され、
当該第２のタイプのＤＲＸ指示信号に同期能力が提供されない。
【０１４８】
任意選択で、当該ＤＲＸ構成情報は、当該ＤＲＸ周期の周期時間長を含む。
【０１４９】
任意選択で、当該処理ユニット４１０は、さらに、
当該ＤＲＸ周期の周期時間長が第１の時間長より大きい場合、当該ＤＲＸ指示信号のタイプを同期能力が提供される第１のタイプとして確定し、又は、
当該ＤＲＸ周期の周期時間長が第１の時間長の以下である場合、当該ＤＲＸ指示信号のタイプを同期能力が提供されない第２のタイプとして確定する。
【０１５０】
任意選択で、当該第１の時間長は、当該ネットワークデバイスに予め設定された時間長である。
【０１５１】
任意選択で、当該処理ユニットは、さらに、
ＤＲＸ構成情報に基づいて、当該端末デバイスの能力情報を参照して、当該ＤＲＸ指示信号のタイプを確定するように構成される。
【０１５２】
任意選択で、当該端末デバイスの能力情報が、当該端末デバイスが時間周波数同期を維持する時間長を含み、及び／又は、
当該ＤＲＸ構成情報は、当該ＤＲＸ周期の周期時間長を含む。
【０１５３】
任意選択で、当該処理ユニット４１０は、さらに、
当該端末デバイスが時間周波数同期を維持する時間長に基づいて、第２の時間長を確定し、
当該ＤＲＸ周期の周期時間長が当該第２の時間長より大きい場合、当該ＤＲＸ指示信号のタイプを同期能力が提供される第１のタイプとして確定し、又は、
当該ＤＲＸ周期の周期時間長が当該第２の時間長の以下である場合、当該ＤＲＸ指示信号のタイプを同期能力が提供されない第２のタイプとして確定するように構成される。
【０１５４】
任意選択で、当該通信ユニット４２０は、さらに、
当該端末デバイスに当該第２の時間長を通知するように構成される。
【０１５５】
任意選択で、当該処理ユニット４１０は、さらに、
当該ＤＲＸ周期の周期時間長が当該端末デバイスが時間周波数同期を維持する時間長より大きい場合、当該ＤＲＸ指示信号のタイプを同期能力が提供される第１のタイプとして確定し、又は、
当該ＤＲＸ周期の周期時間長が当該端末デバイスが時間周波数同期を維持する時間長の以下である場合、当該ＤＲＸ指示信号のタイプを能力が提供されない第２のタイプとして確定するように構成される。
【０１５６】
任意選択で、当該通信ユニット４２０は、さらに、
当該端末デバイスからの指示情報を受信するように構成され、当該指示情報は、当該端末デバイスの能力情報を示す。
【０１５７】
任意選択で、当該通信ユニット４２０は、さらに、
当該活性化期間の前に、又は、当該活性化期間の１番目のサブフレーム又は１番目のタイムスロットにおいて、当該端末デバイスに当該ＤＲＸ指示信号を送信するように構成される。
【０１５８】
このネットワークデバイス４００は、方法の実施例におけるネットワークデバイスに対応することができ、方法の実施例におけるネットワークデバイスの実施の対応する動作が実施され得ることが理解され、簡潔にするために、ここで説明を省略する。
【０１５９】
図６は本願の実施例における端末デバイス５００のブロック図である。図６に示すように所示、当該端末デバイス５００は、処理ユニット５１０及び通信ユニット５２０を含み、ここで、
当該処理ユニット５１０は、ＤＲＸ構成情報に基づいて、ＤＲＸ指示信号のタイプを確定するように構成され、ここで、当該ＤＲＸ指示信号は、当該端末デバイスがＤＲＸ周期の活性化期間においてウェイクアップするように指示し、
当該通信ユニット５２０は、当該ＤＲＸ指示信号のタイプに基づいて、ネットワークデバイスからの当該ＤＲＸ指示信号を検出するように構成され、
当該処理ユニット５１０は、さらに、当該ＤＲＸ指示信号に応答して、当該端末デバイスがＤＲＸ周期の活性化期間においてウェイクアップするように構成される。
【０１６０】
任意選択で、異なるＤＲＸ指示信号のタイプに含まれるシーケンスタイプ、シーケンス数及びシーケンス長さのうちの少なくとも１つが異なる。
【０１６１】
任意選択で、異なるタイプのＤＲＸ指示信号により提供される同期能力が異なる。
【０１６２】
任意選択で、当該確定されたＤＲＸ指示信号のタイプは、第１のタイプ又は第２のタイプであり、ここで、
当該第１のタイプのＤＲＸ指示信号に同期能力が提供され、
当該第２のタイプのＤＲＸ指示信号に同期能力が提供されない。
【０１６３】
任意選択で、当該確定されたＤＲＸ指示信号のタイプが第１のタイプである場合、
当該処理ユニット５１０は、さらに、
当該通信ユニットが当該ＤＲＸ指示信号の検出を行う場合、検出されたＤＲＸ指示信号に基づいて、同期手順を実行するように構成される。
【０１６４】
任意選択で、当該通信ユニット５２０は、さらに、
当該ＤＲＸ指示信号のタイプに対応するシーケンス長さ及び／又は数に基づいて、ネットワークデバイスにより送信された当該ＤＲＸ指示信号を検出するように構成される。
【０１６５】
任意選択で、当該ＤＲＸ構成情報は、当該ＤＲＸ周期の周期時間長を含む。
【０１６６】
任意選択で、当該処理ユニット５１０は、さらに、
当該ＤＲＸ周期の周期時間長が第１の時間長より大きい場合、当該ＤＲＸ指示信号のタイプを同期能力が提供される第１のタイプとして確定し、又は、
当該ＤＲＸ周期の周期時間長が第１の時間長の以下である場合、当該ＤＲＸ指示信号のタイプを同期能力が提供されない第２のタイプとして確定するように構成される。
【０１６７】
任意選択で、当該第１の時間長は、当該端末デバイスに予め設定された時間長である。
【０１６８】
任意選択で、当該処理ユニット５１０は、さらに、
当該ＤＲＸ周期の周期時間長が当該ネットワークデバイスにより通知された第２の時間長より大きい場合、当該ＤＲＸ指示信号のタイプを同期能力が提供される第１のタイプとして確定し、又は、
当該ＤＲＸ周期の周期時間長が当該ネットワークデバイスにより通知された第２の時間長の以下である場合、当該ＤＲＸ指示信号のタイプを同期能力が提供されない第２のタイプとして確定するように構成され、
ここで、当該第２の時間長は、当該ネットワークデバイスが当該端末デバイスの能力情報に基づいて確定されたものである。
【０１６９】
任意選択で、当該処理ユニット５１０は、さらに、
ＤＲＸ構成情報に基づいて、当該端末デバイスの能力情報を参照して、当該ＤＲＸ指示信号のタイプを確定するように構成される。
【０１７０】
任意選択で、当該端末デバイスの能力情報は、該端末デバイスが時間周波数同期を維持する時間長を含み、及び／又は、
当該ＤＲＸ構成情報は、当該ＤＲＸ周期の周期時間長を含む。
【０１７１】
任意選択で、当該処理ユニット５１０は、さらに、
当該端末デバイスが時間周波数同期を維持する時間長に基づいて第２の時間長を確定し、
当該ＤＲＸ周期の周期時間長が当該第２の時間長より大きい場合、当該ＤＲＸ指示信号のタイプを同期能力が提供される第１のタイプとして確定し、又は、
当該ＤＲＸ周期の周期時間長が当該第２の時間長の以下である場合、当該ＤＲＸ指示信号のタイプを同期能力が提供されない第２のタイプとして確定するように構成される。
【０１７２】
任意選択で、当該処理ユニット５１０は、さらに、
当該ＤＲＸ周期の周期時間長が当該端末デバイスが時間周波数同期を維持する時間長より大きい場合、当該ＤＲＸ指示信号のタイプを同期能力が提供される第１のタイプとして確定し、又は、
当該ＤＲＸ周期の周期時間長が当該端末デバイスが時間周波数同期を維持する時間長の以下である場合、当該ＤＲＸ指示信号のタイプを能力が提供されない第２のタイプとして確定するように構成される。
【０１７３】
任意選択で、当該通信ユニット５２０は、さらに、
当該ネットワークデバイスに指示情報を送信するように構成され、当該指示情報は、当該端末デバイスの能力情報を示す。
【０１７４】
任意選択で、当該通信ユニット５２０は、さらに、
当該活性化期間の前に、又は、当該活性化期間の１番目のサブフレーム又は１番目のタイムスロットにおいて、ネットワークデバイスにより送信された当該ＤＲＸ指示信号を検出するように構成される。
【０１７５】
なお、この端末デバイス５００は、方法の実施例における端末デバイスに対応するものであってもよく、方法の実施例における端末デバイスによって実施される対応する動作は、簡潔のために、ここでは説明を省略する。
【０１７６】
図７は、本実施例のシステムチップ６００の概略構成図である。図７のシステムチップ６００は、入力インターフェース６０１、出力インターフェース６０２、メモリ６０４内のコードを実行するプロセッサ６０３、及びメモリ６０４を含み、それらの間を内部通信接続線によって接続することができる。
【０１７７】
任意選択で、コードが実行されると、プロセッサ６０３は、方法の実施例においてネットワークデバイスによって実行される方法を実施する。簡潔にするために、ここでは説明を省略する。
【０１７８】
任意選択で、コードが実行されると、プロセッサ６０３は、方法の実施例において端末デバイスによって実行される方法を実施する。簡潔にするために、ここでは説明を省略する。
【０１７９】
図８は、本願の実施例による通信デバイス７００の概略ブロック図である。図８に示すように、通信デバイス７００は、プロセッサ７１０と、メモリ７２０とを有する。メモリ７２０は、プロセッサ７１０がメモリ７２０に記憶されたプログラムコードを実行することができるプログラムコードを記憶することができる。
【０１８０】
また、図８に示すように、通信デバイス７００は、プロセッサ７１０が外部と通信するように制御することができる送受信機７３０を含んでもよい。
【０１８１】
任意選択で、プロセッサ７１０は、メモリ７２０に記憶されたプログラムコードを呼び出して、方法の実施例におけるネットワークデバイスの対応する動作を実行してもよく、簡潔のためにここでは詳しい説明を省略する。
【０１８２】
任意選択で、プロセッサ７１０は、メモリ７２０に記憶されたプログラムコードを呼び出して、方法の実施例における端末デバイスの対応する動作を実行してもよく、簡潔のためにここでは詳しい説明を省略する。
【０１８３】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１８４】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ ）、プログラマブルリードオンリーメモリ（ Ｐｒｏｇｒａｍｍａｂｌｅ ＲＯＭ、ＰＲＯＭ ）、消去可能プログラマブルリードオンリーメモリ（ Ｅｒａｓａｂｌｅ ＰＲＯＭ、ＥＰＲＯＭ ）、電気的消去可能プログラマブルリードオンリーメモリ（ Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ ）、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ ）、シンクロナス接続ダイナミックランダムアクセスメモリ（ Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１８５】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【０１８６】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本願の範囲から逸脱するものと考えられるべきではない。
【０１８７】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１８８】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１８９】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１９０】
また、本願の各実施例における各機能部は、１つの処理部に集積されてもよいし、各部は、物理的に別個に存在してもよいし、２つ以上の部が１つの部に集積されてもよい。
【０１９１】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、U-ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2020535675.tif 000003
【図２】
2020535675.tif 000004
【図３】
2020535675.tif 000005
【図４】
2020535675.tif 000006
【図５】
2020535675.tif 000007
【図６】
2020535675.tif 000008
【図７】
2020535675.tif 000009
【図８】
2020535675.tif 000010
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
端末デバイスがＤＲＸ構成情報に基づいて、ＤＲＸ指示信号のタイプを確定することと、前記ＤＲＸ指示信号のタイプに基づいて、前記端末デバイスがネットワークデバイスにより送信された前記ＤＲＸ指示信号を検出することと、
前記ＤＲＸ指示信号に応答し、前記端末デバイスがＤＲＸ周期の活性化期間においてウェイクアップすることとを含み、
前記ＤＲＸ指示信号は、前記端末デバイスがＤＲＸ周期の活性化期間においてウェイクアップするように指示する
ことを特徴とする通信方法。
【請求項２】
異なるＤＲＸ指示信号のタイプに含まれるシーケンスタイプ、シーケンス数及びシーケンス長さのうちの少なくとも１つが異なり、
異なるタイプのＤＲＸ指示信号により提供される同期能力が異なる
ことを特徴とする請求項１に記載の通信方法。
【請求項３】
前記確定されたＤＲＸ指示信号のタイプが第１のタイプ又は第２のタイプであり、
前記第１のタイプのＤＲＸ指示信号は、同期能力を提供し、
前記第２のタイプのＤＲＸ指示信号は、同期能力を提供しない
ことを特徴とする請求項１又は２に記載の通信方法。
【請求項４】
前記確定されたＤＲＸ指示信号のタイプが第１のタイプである場合、
前記方法は、さらに、
前記端末デバイスが前記ＤＲＸ指示信号の検出過程において、検出されたＤＲＸ指示信号に基づいて、同期手順を実行することを含む
ことを特徴とする請求項３に記載の通信方法。
【請求項５】
前記ＤＲＸ指示信号のタイプに基づいて、前記端末デバイスがネットワークデバイスにより送信された前記ＤＲＸ指示信号を検出することは、
前記ＤＲＸ指示信号のタイプに対応するシーケンス長さ及び／又は数に基づいて、前記端末デバイスがネットワークデバイスにより送信された前記ＤＲＸ指示信号を検出することを含む
ことを特徴とする請求項１〜４のいずれか１項に記載の通信方法。
【請求項６】
前記ＤＲＸ構成情報が前記ＤＲＸ周期の周期時間長を含む
ことを特徴とする請求項１〜５のいずれか１項に記載の通信方法。
【請求項７】
前記端末デバイスがＤＲＸ構成情報に基づいて、ＤＲＸ指示信号のタイプを確定することは、
前記ＤＲＸ周期の周期時間長が第１の時間長より大きい場合、前記ＤＲＸ指示信号のタイプを同期能力が提供される第１のタイプとして確定すること、又は、
前記ＤＲＸ周期の周期時間長が第１の時間長の以下である場合、前記ＤＲＸ指示信号のタイプを同期能力が提供されない第２のタイプとして確定することを含む
ことを特徴とする請求項６に記載の通信方法。
【請求項８】
前記端末デバイスがＤＲＸ構成情報に基づいて、ＤＲＸ指示信号のタイプを確定することは、
前記ＤＲＸ周期の周期時間長が前記ネットワークデバイスにより通知された第２の時間長より大きい場合、前記ＤＲＸ指示信号のタイプを同期能力が提供される第１のタイプとして確定し、又は、
前記ＤＲＸ周期の周期時間長が前記ネットワークデバイスにより通知される第２の時間長の以下である場合、前記ＤＲＸ指示信号のタイプを同期能力が提供されない第２のタイプとして確定することを含み、
ここで、前記第２の時間長は、前記ネットワークデバイスが前記端末デバイスの能力情報に基づいて確定したものである
ことを特徴とする請求項６に記載の通信方法。
【請求項９】
前記端末デバイスがＤＲＸ構成情報に基づいて、ＤＲＸ指示信号のタイプを確定することは、
前記端末デバイスがＤＲＸ構成情報に基づいて、前記端末デバイスの能力情報を参照して、前記ＤＲＸ指示信号のタイプを確定することを含む
ことを特徴とする請求項１〜５のいずれか１項に記載の通信方法。
【請求項１０】
前記端末デバイスの能力情報は、前記端末デバイスが時間周波数同期を維持する時間長、及び／又は、
前記ＤＲＸ構成情報が前記ＤＲＸ周期の周期時間長を含み、
前記端末デバイスがＤＲＸ構成情報に基づいて、前記端末デバイスの能力情報を参照して、前記ＤＲＸ指示信号のタイプを確定することは、
前記端末デバイスが時間周波数同期を維持する時間長に基づいて第２の時間長を確定することと、
前記ＤＲＸ周期の周期時間長が前記第２の時間長より大きい場合、前記ＤＲＸ指示信号のタイプを同期能力が提供される第１のタイプとして確定し、又は、
前記ＤＲＸ周期の周期時間長が前記第２の時間長の以下である場合、前記ＤＲＸ指示信号のタイプを同期能力が提供されない第２のタイプとして確定することとを含む
ことを特徴とする請求項９に記載の通信方法。
【請求項１１】
前記端末デバイスがＤＲＸ構成情報に基づいて、前記端末デバイスの能力情報を参照して、ＤＲＸ指示信号のタイプを確定することは、
前記ＤＲＸ周期の周期時間長が前記端末デバイスが時間周波数同期を維持する時間長より大きい場合、前記ＤＲＸ指示信号のタイプを同期能力が提供される第１のタイプとして確定し、又は、
前記ＤＲＸ周期の周期時間長が前記端末デバイスが時間周波数同期を維持する時間長の以下である場合、前記ＤＲＸ指示信号のタイプを能力が提供されない第２のタイプとして確定することを含む
ことを特徴とする請求項１０に記載の通信方法。
【請求項１２】
前記方法は、さらに、
前記端末デバイスが前記ネットワークデバイスに指示情報を送信することを含み、前記指示情報は、前記端末デバイスの能力情報を示す
ことを特徴とする請求項８〜１１のいずれか１項に記載の通信方法。
【請求項１３】
前記端末デバイスがネットワークデバイスにより送信された前記ＤＲＸ指示信号を検出することは、
前記活性化期間の前に、又は、前記活性化期間における１番目のサブフレーム又は１番目のタイムスロットにおいて、前記端末デバイスがネットワークデバイスにより送信された前記ＤＲＸ指示信号を検出することを含む
ことを特徴とする請求項１〜１２のいずれか１項に記載の通信方法。
【請求項１４】
処理ユニットと通信ユニットとを備える端末デバイスであって、
前記処理ユニットは、ＤＲＸ構成情報に基づいて、ＤＲＸ指示信号のタイプを確定するように構成され、前記ＤＲＸ指示信号は、前記端末デバイスがＤＲＸ周期の活性化期間においてウェイクアップするように指示し、
前記通信ユニットは、前記ＤＲＸ指示信号のタイプに基づいて、ネットワークデバイスにより送信された前記ＤＲＸ指示信号を受信するように構成され、
前記処理ユニットは、さらに、前記ＤＲＸ指示信号に応答し、前記端末デバイスをＤＲＸ周期の活性化期間においてウェイクアップさせるように構成される
ことを特徴とする端末デバイス。
【請求項１５】
異なるＤＲＸ指示信号のタイプに含まれるシーケンスタイプ、シーケンス数及びシーケンス長さのうちの少なくとも１つが異なり、
異なるタイプのＤＲＸ指示信号により提供される同期能力が異なる
ことを特徴とする請求項１４に記載の端末デバイス。
【国際調査報告】
2020535675.tif 000011
2020535675.tif 000012
2020535675.tif 000013
2020535675.tif 000014